(57)【要約】【課題】耐擦過性に優れたクリア画像層を提供する。【解決手段】画像記録装置では、一の主面上に有色画像層が記録された基材が準備され、有色画像層を覆うクリア画像層が、クリア網点画像データに従って透明インクにて記録される。クリア網点画像データが示すクリア画像６１は、異方性を有しない一の種類のドット配置パターンにて表現される一定のドット記録率の第１クリア領域６１１と、第１クリア領域６１１のエッジの少なくとも一部に接するとともに、異方性を有しない他の種類のドット配置パターンにて表現される一定のドット記録率の第２クリア領域６１２とを有する。基材上のクリア画像層は異方性を有しないため、耐擦過性に異方性が生じない。【選択図】図５
2013173266.tif 000002
【特許請求の範囲】
【請求項１】
画像記録方法であって、
ａ）一の主面上に有色画像層が記録された基材を準備する工程と、
ｂ）前記有色画像層を覆うクリア画像層を透明な画像記録材料にて記録する工程と、
を備え、
前記クリア画像層が、異方性を有しない一の種類のドット配置パターンにて表現される一定のドット記録率の第１クリア領域と、前記第１クリア領域のエッジの少なくとも一部に接するとともに、異方性を有しない他の種類のドット配置パターンにて表現される一定のドット記録率の第２クリア領域とを有することを特徴とする画像記録方法。
【請求項２】
請求項１に記載の画像記録方法であって、
前記第１クリア領域の前記ドット記録率と、前記第２クリア領域の前記ドット記録率とがおよそ等しいことを特徴とする画像記録方法。
【請求項３】
請求項１または２に記載の画像記録方法であって、
パワースペクトル画像において、中心が前記パワースペクトル画像の中心と一致する半径ｄρの所定幅の環状領域Ｒ（ｄρ）内の画素数をＮ（Ｒ（ｄρ））、前記環状領域内に含まれる各画素の値を前記パワースペクトル画像の全画素数で割ったスペクトル推定値をＰ（ｄ）、前記環状領域内に含まれる画素のスペクトル推定値の平均値をＰｒ（ｄρ）として、前記パワースペクトル画像に対する異方性を示す評価値Ａ（ｄρ）が数５により求められ、
【数５】
2013173266.tif 000007
前記第１クリア領域を示す画像を２次元フーリエ変換して得られるパワースペクトル画像に対する前記評価値の最大値、および、前記第２クリア領域を示す画像を２次元フーリエ変換して得られるパワースペクトル画像に対する前記評価値の最大値が、１０デシベル以下であることを特徴とする画像記録方法。
【請求項４】
請求項１ないし３のいずれかに記載の画像記録方法であって、
前記第１クリア領域を示す画像を２次元フーリエ変換して得られるパワースペクトル画像と前記第２クリア領域を示す画像を２次元フーリエ変換して得られるパワースペクトル画像との間における互いに対応する画素の値の差の絶対値に対し、数６に示すＶＴＦの値（ただし、数６においてｆは当該画素の位置の空間周波数である。）を乗じることにより、視差評価画像が得られ、
【数６】
2013173266.tif 000008
前記視差評価画像における画素の値の平均値が、２０以上であることを特徴とする画像記録方法。
【請求項５】
請求項１ないし４のいずれかに記載の画像記録方法であって、
ｃ）前記ｂ）工程の前に、前記一の種類のドット配置パターン生成用の閾値マトリクス、および、前記他の種類のドット配置パターン生成用の閾値マトリクスを用いて前記クリア画像層を示す画像データを生成する工程をさらに備え、
前記ｂ）工程において、前記画像データに従って前記有色画像層上にドットが順次記録されることを特徴とする画像記録方法。
【請求項６】
請求項１ないし５のいずれかに記載の画像記録方法であって、
前記画像記録材料が透明インクであり、
前記ｂ）工程において、前記透明インクの微小液滴が吐出部から前記基材に向けて吐出されることを特徴とする画像記録方法。
【請求項７】
画像記録装置であって、
一の主面上に有色画像層が記録された基材を保持する保持部と、
前記有色画像層を覆うクリア画像層を透明な画像記録材料にて記録する画像記録部と、
を備え、
前記クリア画像層が、異方性を有しない一の種類のドット配置パターンにて表現される一定のドット記録率の第１クリア領域と、前記第１クリア領域のエッジの少なくとも一部に接するとともに、異方性を有しない他の種類のドット配置パターンにて表現される一定のドット記録率の第２クリア領域とを有することを特徴とする画像記録装置。
【請求項８】
画像記録物であって、
基材と、
前記基材上に記録された有色画像層と、
前記有色画像層上に透明な画像記録材料にて記録されたクリア画像層と、
を備え、
前記クリア画像層が、異方性を有しない一の種類のドット配置パターンにて表現される一定のドット記録率の第１クリア領域と、前記第１クリア領域のエッジの少なくとも一部に接するとともに、異方性を有しない他の種類のドット配置パターンにて表現される一定のドット記録率の第２クリア領域とを有することを特徴とする画像記録物。
【発明の詳細な説明】
【技術分野】
【０００１】
本発明は、画像記録方法、画像記録装置および画像記録物に関する。
【背景技術】
【０００２】
従来より、紙等の基材上に印刷された有色画像層の摩耗等を防止するために、透明な保護層（オーバーコート）を有色画像層上に設けることが行われている。また、印刷物の偽造防止等、セキュリティを向上するために、複写が困難な画像を記録することも行われている。例えば、特許文献１では、第一の異方性構造の向きを有する第一のハーフトーンを第一領域に適用し、第一のハーフトーンとは異なる第二の異方性構造の向きを有する第二のハーフトーンを第二領域に適用したハーフトーン画像を透明トナーにて記録する手法が開示されている。特許文献１では、各々が同一の密度特徴を有していながら、見かけの光沢が明確に異なる２種のハーフトーンタイプにより、光沢差を介してグロス（光沢）マークを形成することが可能となる。
【０００３】
なお、特許文献２の段落００３２には、人間の視覚の空間周波数特性についての式が開示されており、非特許文献１のｐ．５２には画像の異方性を評価するための式が記載されている。
【先行技術文献】
【特許文献】
【０００４】
【特許文献１】特開２００５−１７６３７７号公報
【特許文献２】特開平１０−２３１９１号公報
【非特許文献】
【０００５】
【非特許文献１】Daniel L.Lau and Gonzalo R.Arce，「モダンデジタルハーフトーニング（Modern Digital Halftoning）」，（米国），シーアールシープレス（CRC Press），２００８年４月２４日，ｐ．５２
【発明の概要】
【発明が解決しようとする課題】
【０００６】
ところで、有色画像層自体がある程度の耐擦過性を有することを考慮すれば、有色画像層は必ずしも保護層により完全に覆われる必要はなく、ある程度のドット記録率の層（画像）にて覆われていれば、有色画像層の保護は可能である。したがって、特許文献１の手法を利用して透明な画像記録材料により記録されるクリア画像層により、有色画像層の保護を実現することも可能である。しかしながら、この場合、当該クリア画像層が異方性を有するため、特定の方向（例えば、異方性の方向）においてクリア画像層の耐擦過性が低下する虞がある。
【０００７】
本発明は上記課題に鑑みなされたものであり、耐擦過性に優れたクリア画像層を提供することを目的としている。
【課題を解決するための手段】
【０００８】
請求項１に記載の発明は、画像記録方法であって、ａ）一の主面上に有色画像層が記録された基材を準備する工程と、ｂ）前記有色画像層を覆うクリア画像層を透明な画像記録材料にて記録する工程とを備え、前記クリア画像層が、異方性を有しない一の種類のドット配置パターンにて表現される一定のドット記録率の第１クリア領域と、前記第１クリア領域のエッジの少なくとも一部に接するとともに、異方性を有しない他の種類のドット配置パターンにて表現される一定のドット記録率の第２クリア領域とを有する。
【０００９】
請求項２に記載の発明は、請求項１に記載の画像記録方法であって、前記第１クリア領域の前記ドット記録率と、前記第２クリア領域の前記ドット記録率とがおよそ等しい。
【００１０】
請求項３に記載の発明は、請求項１または２に記載の画像記録方法であって、パワースペクトル画像において、中心が前記パワースペクトル画像の中心と一致する半径ｄρの所定幅の環状領域Ｒ（ｄρ）内の画素数をＮ（Ｒ（ｄρ））、前記環状領域内に含まれる各画素の値を前記パワースペクトル画像の全画素数で割ったスペクトル推定値をＰ（ｄ）、前記環状領域内に含まれる画素のスペクトル推定値の平均値をＰｒ（ｄρ）として、前記パワースペクトル画像に対する異方性を示す評価値Ａ（ｄρ）が数１により求められ、
【００１１】
【数１】
2013173266.tif 000003
【００１２】
前記第１クリア領域を示す画像を２次元フーリエ変換して得られるパワースペクトル画像に対する前記評価値の最大値、および、前記第２クリア領域を示す画像を２次元フーリエ変換して得られるパワースペクトル画像に対する前記評価値の最大値が、１０デシベル以下である。
【００１３】
請求項４に記載の発明は、請求項１ないし３のいずれかに記載の画像記録方法であって、前記第１クリア領域を示す画像を２次元フーリエ変換して得られるパワースペクトル画像と前記第２クリア領域を示す画像を２次元フーリエ変換して得られるパワースペクトル画像との間における互いに対応する画素の値の差の絶対値に対し、数２に示すＶＴＦの値（ただし、数２においてｆは当該画素の位置の空間周波数である。）を乗じることにより、視差評価画像が得られ、
【００１４】
【数２】
2013173266.tif 000004
【００１５】
前記視差評価画像における画素の値の平均値が、２０以上である。
【００１６】
請求項５に記載の発明は、請求項１ないし４のいずれかに記載の画像記録方法であって、ｃ）前記ｂ）工程の前に、前記一の種類のドット配置パターン生成用の閾値マトリクス、および、前記他の種類のドット配置パターン生成用の閾値マトリクスを用いて前記クリア画像層を示す画像データを生成する工程をさらに備え、前記ｂ）工程において、前記画像データに従って前記有色画像層上にドットが順次記録される。
【００１７】
請求項６に記載の発明は、請求項１ないし５のいずれかに記載の画像記録方法であって、前記画像記録材料が透明インクであり、前記ｂ）工程において、前記透明インクの微小液滴が吐出部から前記基材に向けて吐出される。
【００１８】
請求項７に記載の発明は、画像記録装置であって、一の主面上に有色画像層が記録された基材を保持する保持部と、前記有色画像層を覆うクリア画像層を透明な画像記録材料にて記録する画像記録部とを備え、前記クリア画像層が、異方性を有しない一の種類のドット配置パターンにて表現される一定のドット記録率の第１クリア領域と、前記第１クリア領域のエッジの少なくとも一部に接するとともに、異方性を有しない他の種類のドット配置パターンにて表現される一定のドット記録率の第２クリア領域とを有する。
【００１９】
請求項８に記載の発明は、画像記録物であって、基材と、前記基材上に記録された有色画像層と、前記有色画像層上に透明な画像記録材料にて記録されたクリア画像層とを備え、前記クリア画像層が、異方性を有しない一の種類のドット配置パターンにて表現される一定のドット記録率の第１クリア領域と、前記第１クリア領域のエッジの少なくとも一部に接するとともに、異方性を有しない他の種類のドット配置パターンにて表現される一定のドット記録率の第２クリア領域とを有する。
【発明の効果】
【００２０】
本発明によれば、耐擦過性に優れたクリア画像層を提供することができる。
【図面の簡単な説明】
【００２１】
【図１】画像記録装置の構成を示す図である。
【図２】画像記録装置の機能構成を示すブロック図である。
【図３】画像を記録する動作の流れを示す図である。
【図４】対象画像および閾値マトリクスを抽象的に示す図である。
【図５】クリア画像を示す図である。
【図６】印刷物を示す図である。
【図７】ＶＴＦの変化を示す図である。
【図８】パワースペクトル画像を示す図である。
【図９．Ａ】異方性の評価手法を説明するための図である。
【図９．Ｂ】異方性の評価手法を説明するための図である。
【図１０】クリア画像の他の例を示す図である。
【図１１．Ａ】ドット配置パターンの他の例を示す図である。
【図１１．Ｂ】ドット配置パターンの他の例を示す図である。
【図１１．Ｃ】ドット配置パターンの他の例を示す図である。
【図１１．Ｄ】ドット配置パターンの他の例を示す図である。
【図１１．Ｅ】ドット配置パターンの他の例を示す図である。
【図１１．Ｆ】ドット配置パターンの他の例を示す図である。
【図１１．Ｇ】ドット配置パターンの他の例を示す図である。
【図１２】ドット配置パターンの他の例を示す図である。
【図１３．Ａ】網点の成長を説明するための図である。
【図１３．Ｂ】網点の成長を説明するための図である。
【図１３．Ｃ】網点の成長を説明するための図である。
【図１４】ドット配置パターンの他の例を示す図である。
【図１５．Ａ】クリア画像の他の例を示す図である。
【図１５．Ｂ】クリア画像の他の例を示す図である。
【図１６】クリア画像の他の例を示す図である。
【図１７】クリア画像の他の例を示す図である。
【図１８】クリア画像の他の例を示す図である。
【図１９】クリア画像の他の例を示す図である。
【発明を実施するための形態】
【００２２】
図１は、本発明の一の実施の形態に係る画像記録装置１の構成を示す図である。画像記録装置１は、複数の基材に対してインクジェット方式によるカラー印刷を順次行う枚葉式の印刷装置である。本実施の形態では、基材は印刷用紙である。
【００２３】
図１に示すように、画像記録装置１は、複数の基材９を図１中の（＋Ｙ）方向である移動方向に移動する移動機構２、移動機構２による搬送途上の基材９に向けてインクの微小液滴を吐出する吐出部３、移動機構２に基材９を供給する供給部５１、印刷終了後の基材９を移動機構２から受け取る排出部５２、並びに、これらの機構を制御する制御部４を備える。画像記録装置１では、吐出部３から吐出されて基材９に付与されるインク（例えば、水性インク）が、基材９上に画像（画像層）を記録する画像記録材料である。
【００２４】
移動機構２は、それぞれが１枚のシート状の基材９を吸着保持する複数のステージ２１、複数のステージ２１を案内する環状のガイド２２、および、ガイド２２内のベルトを図１中における反時計回りに移動させるベルト駆動機構（図示省略）を備え、ベルト駆動機構により、基材９を保持するステージ２１が吐出部３の下方（すなわち、（−Ｚ）側）において（＋Ｙ）方向に移動する。
【００２５】
吐出部３は、それぞれが複数の吐出口からインクの微小液滴を吐出する５個の吐出機構３１ａ〜３１ｄ，３２を備える。吐出機構３１ａ〜３１ｄ，３２は図１中のＹ方向に配列される。吐出部３において、図１中の最も（−Ｙ）側に位置する吐出機構３１ａはＫ（ブラック）の有色インクを吐出し、吐出機構３１ａの（＋Ｙ）側の吐出機構３１ｂはＣ（シアン）の有色インクを吐出し、吐出機構３１ｂの（＋Ｙ）側の吐出機構３１ｃはＭ（マゼンタ）の有色インクを吐出し、吐出機構３１ｃの（＋Ｙ）側の吐出機構３１ｄはＹ（イエロー）の有色インクを吐出する。また、図１中の最も（＋Ｙ）側に位置する吐出機構３２は、透明な画像記録材料である透明インクを吐出する。以下の説明では、吐出機構３１ａ〜３１ｄを「有色インク吐出機構３１ａ〜３１ｄ」と呼び、吐出機構３２を「透明インク吐出機構３２」と呼ぶ。なお、吐出部３では、他の色の有色インクを吐出する吐出機構が設けられてもよい。また、有色インクおよび透明インクは、水性インク以外に紫外線硬化インクや、溶剤インク、固体インクであってもよい。
【００２６】
画像記録装置１では、基材９の移動方向（Ｙ方向）に垂直なＸ方向に関して、吐出部３の吐出機構３１ａ〜３１ｄ，３２が基材９の幅全体に亘って（すなわち、Ｘ方向の全長に亘って）設けられており、基材９の（＋Ｙ）方向への１回の相対移動により、吐出機構３１ａ〜３１ｄ，３２が基材９上の各位置を１回だけ通過して基材９に対する印刷が完了する。すなわち、画像記録装置１では、基材９のＸ方向における往復移動を伴わない印刷（いわゆる、ワンパス印刷）が行われる。
【００２７】
図２は、画像記録装置１の機能構成を示すブロック図である。制御部４は、各種演算を行う演算部４０、および、吐出部３や移動機構２等の各構成を制御する本体制御部１０を備える。演算部４０は、画像メモリ４１、複数のマトリクス記憶部４２１，４２２、比較器４３（ハーフトーン化回路）、マスキング部４４、並びに、合成部４５を備える。画像メモリ４１は、Ｋ，Ｃ，Ｍ，Ｙの有色画像を示す有色画像データ４１１、および、単色の埋込画像を示す埋込画像データ４１２を記憶する。
【００２８】
複数のマトリクス記憶部４２１は、Ｋ，Ｃ，Ｍ，Ｙの複数の色成分用の閾値マトリクスをそれぞれ記憶する。また、複数のマトリクス記憶部４２２は、後述の埋込網点画像データおよびマスク網点画像データ生成用の複数の閾値マトリクスを記憶する。各閾値マトリクスは、複数の閾値の２次元配列にて構成される。なお、マトリクス記憶部４２１，４２２は、ＳＰＭ（Screen Pattern Memory）とも呼ばれる。比較器４３は、各画像データが示す画像と閾値マトリクスとを比較する比較部である。マスキング部４４および合成部４５の処理の内容については後述する。本実施の形態では、比較器４３、マスキング部４４および合成部４５は、演算部４０がプログラムを実行することによりソフトウェアとして実現されるが、全体的または部分的に専用の電気回路が利用されてもよい。本体制御部１０は、移動機構２による基材９の吐出部３に対する相対移動を制御する移動制御部１０２、および、基材９の相対移動に同期して吐出部３からのインクの吐出を制御する吐出制御部１０１を備える。
【００２９】
次に、画像記録装置１が画像を記録する動作の詳細について図３を参照しつつ説明する。画像記録装置１では、まず、外部のコンピュータから有色画像データ４１１および埋込画像データ４１２が入力され、演算部４０の画像メモリ４１にて記憶されて準備される（ステップＳ１１）。有色画像データ４１１が示す有色画像、および、埋込画像データ４１２が示す埋込画像のそれぞれでは、後述するように複数の画素が２次元配列されており、本実施の形態では、両画像は同じサイズである。以下の説明では、有色画像データ４１１が示す有色画像の各色成分は０〜２５５の階調範囲にて表現され、埋込画像データ４１２が示す埋込画像は０と、予め選択された値（例えば１２８であり、以下、「選択値」という。）の２値にて表現されるものとする。
【００３０】
マスキング部４４では、有色画像データ４１１が読み出され、有色画像においてＫ，Ｃ，Ｍ，Ｙのいずれかの色成分の階調値が０よりも大きい各画素が特定される。そして、当該画素に選択値を付与し、残りの画素に階調値０を付与した単色の画像（以下、「マスク画像」という。）を示すマスク画像データが生成される（ステップＳ１２）。換言すると、有色画像において全ての色成分の階調値が０である画素に階調値０を付与し、残りの画素に選択値を付与することにより、マスク画像データが生成される。マスク画像は、埋込画像データ４１２と同様に０と、選択値の２値にて表現される。
【００３１】
ここで、有色画像データ４１１が示す有色画像において、いずれかの色成分の階調値が０よりも大きい画素の集合を「有色画像領域」と呼び、マスク画像において階調値が選択値である画素の集合を「マスク領域」と呼ぶと、有色画像とマスク画像とを重ねた際に、有色画像領域とマスク領域とが完全に重なる。また、埋込画像データ４１２が示す埋込画像では、階調値が選択値である全ての画素がマスク領域に対応する領域（すなわち、埋込画像とマスク画像とを重ねた際に、マスク領域と重なる領域）に含まれている。したがって、埋込画像において階調値が選択値である画素の集合を「埋込領域」と呼ぶと、埋込領域の全体がマスク領域に含まれる。
【００３２】
続いて、有色画像データがＫ，Ｃ，Ｍ，Ｙの各色成分に分版され、比較器４３において各色成分の有色画像を当該色成分用の閾値マトリクスと比較することにより、当該色成分の有色画像を示す網点画像データが生成される。また、埋込画像データ４１２が示す埋込画像を埋込画像用の閾値マトリクスと比較することにより埋込画像を示す網点画像データが生成され、さらに、マスク画像データが示すマスク画像をマスク画像用の閾値マトリクスと比較することによりマスク画像を示す網点画像データが生成される（ステップＳ１３）。実際には、比較器４３に、Ｋ，Ｃ，Ｍ，Ｙの各色成分の画像データ、埋込画像データ４１２、並びに、マスク画像データに対応する複数の比較部が用意され、Ｋ，Ｃ，Ｍ，Ｙの各色成分の画像データ、埋込画像データ４１２、並びに、マスク画像データに対して網点化処理が並行して行われる。以下、Ｋ，Ｃ，Ｍ，Ｙの各色成分の画像データ、埋込画像データ４１２、並びに、マスク画像データを「対象画像データ」と総称して、対象画像データの網点化処理について詳述する。
【００３３】
図４は、対象画像データが示す対象画像７０および閾値マトリクス７１０を抽象的に示す図である。対象画像７０および閾値マトリクス７１０のそれぞれでは、Ｘ方向に対応する行方向（図４中にてｘ方向として示す。）、および、行方向に垂直な列方向（図４中にてｙ方向として示す。）に複数の画素または複数の要素が配列されている。
【００３４】
対象画像データの網点化、すなわち、ハーフトーン化の際には、図４に示すように対象画像７０が示す全体の領域を同一の大きさの多数の領域に分割してハーフトーン化の単位となる繰り返し領域７１が設定される。マトリクス記憶部４２１，４２２は１つの繰り返し領域７１に相当する記憶領域を有し、この記憶領域の各アドレス（座標）に閾値が設定されることにより閾値マトリクス７１０を記憶している。そして、概念的には対象画像７０の各繰り返し領域７１と閾値マトリクス７１０とを重ね合わせ、繰り返し領域７１の各画素の階調値（画素値）と閾値マトリクス７１０の対応する閾値とが比較されることにより、基材９上のその画素の位置に記録（当該色のドットの形成）を行うか否かが決定される。
【００３５】
実際には、図２の比較器４３が有するアドレス発生器からのアドレス信号に基づいて対象画像７０の１つの画素の階調値が読み出される。一方、アドレス発生器では対象画像７０中の当該画素に相当する繰り返し領域７１中の位置を示すアドレス信号も生成され、閾値マトリクス７１０における１つの閾値が特定されてマトリクス記憶部４２１，４２２から読み出される。そして、当該画素の階調値とマトリクス記憶部４２１，４２２からの閾値とが比較器４３にて比較されることにより、２値の出力画像におけるその画素の位置（アドレス）の値が決定される。したがって、図４に示す多階調の対象画像７０において、階調値が閾値マトリクス７１０の対応する閾値よりも大きい位置には、例えば、値「１」が付与され（すなわち、ドットが置かれ）、残りの画素には値「０」が付与され（すなわち、ドットは置かれず）、２値の出力画像データが網点画像データとして生成される。以上の処理により、Ｋ，Ｃ，Ｍ，Ｙの各色成分の有色画像を示す有色網点画像データ、埋込画像を示す埋込網点画像データ、並びに、マスク画像を示すマスク網点画像データが生成される。
【００３６】
合成部４５には、比較器４３から埋込網点画像データおよびマスク網点画像データが入力されるとともに、画像メモリ４１から埋込画像データ４１２が入力される。そして、マスク網点画像データが示す網点画像において、埋込領域に対応する領域に含まれる各画素の階調値が、埋込網点画像データが示す網点画像の対応する画素の階調値に置き換えられる。これにより、埋込画像とマスク画像とを合成（マージ）した網点画像（後述するように、透明インクにて記録される画像であり、以下、「クリア画像」という。）を示すクリア網点画像データが生成される（ステップＳ１４）。
【００３７】
図５は、クリア網点画像データが示すクリア画像６１の一部を示す図である。クリア画像６１において埋込領域に対応する画素の集合を「第１クリア領域」と呼ぶと、図５のクリア画像６１は「２」を示す第１クリア領域６１１を含んでいる。また、第１クリア領域６１１の全体がマスク領域（に対応する領域）に含まれており、マスク領域のうち第１クリア領域６１１を除く領域６１２を「第２クリア領域」と呼ぶと、第２クリア領域６１２は、第１クリア領域６１１のエッジの全体に接する。第１クリア領域６１１および第２クリア領域６１２はそれぞれ前景領域および背景領域と捉えることができる。
【００３８】
既述のように、第１クリア領域６１１は、埋込網点画像データが示す網点画像の一部であり、埋込画像データ４１２が示す埋込画像の埋込領域を、埋込画像用の閾値マトリクス（以下、「第１特定閾値マトリクス」という。）にて網点化した領域である。また、第２クリア領域６１２は、マスク網点画像データが示す網点画像の一部であり、マスク画像データが示すマスク画像のマスク領域を、マスク画像用の閾値マトリクス（以下、「第２特定閾値マトリクス」という。）にて網点化した領域（ただし、第１クリア領域６１１と重なる領域を除く。）である。このように、クリア画像６１を示すクリア網点画像データは、第１特定閾値マトリクスおよび第２特定閾値マトリクスを用いて生成される。
【００３９】
また、第１特定閾値マトリクスおよび第２特定閾値マトリクスは、互いに異なる種類の網点を表現するものであり、これらの閾値マトリクスでは、異方性を有しない網点画像が生成可能である。したがって、埋込画像において階調値が選択値にて均一な埋込領域に対応する第１クリア領域６１１は、異方性を有しない一の種類のドット配置パターンにて表現される一定のドット記録率の領域である。また、マスク画像において階調値が選択値にて均一なマスク領域に対応する第２クリア領域６１２は、異方性を有しない他の種類のドット配置パターンにて表現されるとともに、第１クリア領域６１１のドット記録率と等しい一定のドット記録率の領域である。
【００４０】
ここで、網点画像におけるドット記録率は、所定の大きさの領域における、ドットの記録を指示する階調値を有する画素の割合（当該領域中の画素の総数に対する割合）である。後述するように、網点画像のデータに従って、基材９上に画像（画像層）が記録されるため、基材９上の画像層におけるドット記録率も網点画像におけるドット記録率と同じであり、所定の大きさの領域における、実際にドットが形成される位置の割合（当該領域中にてドットが形成可能な位置の総数に対する割合）である。なお、第１クリア領域６１１および第２クリア領域６１２のドット配置パターンの詳細については後述する。
【００４１】
有色網点画像データおよびクリア網点画像データが生成されると、図１に示す供給部５１から、保持部であるステージ２１上に基材９が供給されて保持され、移動機構２により（＋Ｙ）方向に移動する。そして、有色網点画像データに従って、吐出部３の有色インク吐出機構３１ａ〜３１ｄが制御部４により制御されることにより、ステージ２１上の基材９に向けてＫ，Ｃ，Ｍ，Ｙの有色インクの微小液滴が吐出され、基材９の主面上に有色インクのドットが順次記録される。これにより、図６に示すように有色画像層９５が基材９の主面９１上に記録される（ステップＳ１５）。また、クリア網点画像データに従って透明インク吐出機構３２が制御されることにより、ステージ２１上の基材９に向けて透明インクの微小液滴が吐出され、有色画像層９５上に透明インクのドットが順次記録される。これにより、クリア画像層９６が有色画像層９５上に記録され、画像記録物である印刷物９０が作成される（ステップＳ１６）。図６では、有色画像層９５の全体に平行斜線を付すとともに、クリア画像層９６を二点鎖線にて示している。
【００４２】
実際には、基材９のＹ方向の各部位に対して有色画像層９５の一部の記録（ステップＳ１５）、および、クリア画像層９６の一部の記録（ステップＳ１６）が順次行われるため、基材９の全体に対する有色画像層９５およびクリア画像層９６の記録（ステップＳ１５，Ｓ１６）は、およそ並行して行われる。基材９のＹ方向の各部位のみに着目すると、上記ステップＳ１５は、主面９１上に有色画像層が記録された基材９を準備する処理として捉えることができる。
【００４３】
有色画像層９５およびクリア画像層９６が記録された印刷物９０は、排出部５２により回収される。画像記録装置１では、複数の基材９に対する上述の印刷（すなわち、画像の記録）が順次行われる。
【００４４】
図６の印刷物９０では、有色画像層９５の全体がクリア画像層９６により覆われる。詳細には、クリア画像層９６の外縁は、有色画像層９５の外縁に全周に亘って重なる。印刷物９０を正面から見た場合には、観察者において有色画像層９５が強く視認され、透明インクにて記録されるクリア画像層９６はほとんど視認されない。一方、印刷物９０を斜めから見た場合には、クリア画像層９６の表面における光沢により、観察者において有色画像層９５よりもクリア画像層９６が強く視認される。
【００４５】
このとき、クリア画像層９６において、図５中の第１クリア領域６１１に対応する領域９６１（以下、同様に「第１クリア領域」と呼ぶ。第２クリア領域６１２において同様。）における透明インクのドットの記録率は、第２クリア領域９６２における透明インクのドットの記録率と同じであるため、第１クリア領域９６１と第２クリア領域９６２とで光沢差は生じない。しかしながら、透明インクのドット配置パターン（ドットが表す模様）が、第１クリア領域９６１と第２クリア領域９６２とで相違し、第１クリア領域９６１のドット配置パターンが示す空間周波数の特性（強度分布）は、第２クリア領域９６２のドット配置パターンが示す空間周波数の特性と相違する。人間の視覚は網膜上の空間周波数に依存して感度が変化するため、通常の観察距離では、観察者において第１クリア領域９６１と第２クリア領域９６２とが異なる種類の領域（ここでは、異なるテクスチャパターンの領域）であると視認され、クリア画像層９６が示す内容が認識される。仮に、スキャナを用いて印刷物９０を複製しようとしても、印刷物９０の正面からクリア画像層９６の各ドットを検出することは容易ではないため、複製物の作成は困難である。このように、クリア画像層９６は、有色画像層９５を保護する保護層としての役割に加えて、複写牽制画像としての役割を果たす。
【００４６】
次に、クリア網点画像データが示す図５のクリア画像６１における第１クリア領域６１１および第２クリア領域６１２のドット配置パターンについて詳述する。ここで、第１クリア領域６１１におけるドット配置パターンは、選択値にて均一な画像と、第１クリア領域６１１のドット配置パターン生成用の第１特定閾値マトリクスとを比較することにより得られる平網画像（すなわち、所定サイズかつ均一濃度の網点画像）と同じ網点構造である。また、第２クリア領域６１２におけるドット配置パターンは、選択値にて均一な画像と、第２クリア領域６１２のドット配置パターン生成用の第２特定閾値マトリクスとを比較することにより得られる平網画像と同じ網点構造である。したがって、以下、第１クリア領域６１１および第２クリア領域６１２のそれぞれのドット配置パターンの特徴について、当該ドット配置パターンに対応する一定のサイズの平網画像（ここでは、行方向および列方向の画素数が同数であるものとする。）を用いて説明する。以下の説明において、平網画像の空間周波数は、当該平網画像の一辺の大きさを単位長さとする空間周波数である。
【００４７】
既述のように、印刷物９０において第１クリア領域９６１と第２クリア領域９６２とが異なる種類の領域であると視認されるためには、第１クリア領域９６１のドット配置パターンが示す空間周波数の特性と、第２クリア領域９６２のドット配置パターンが示す空間周波数の特性とが相違する必要があり、相違が大きいほど、異なる種類の領域であると視認されやすくなる。そこで、互いに隣接する２つの領域が異なるドット配置パターンにて表現される場合に、両者が異なる種類の領域であると視認される度合い（以下、「視差」とも呼ぶ。）を評価する手法について述べる。
【００４８】
視差の評価の一例では、まず、第１クリア領域６１１を示す平網画像（すなわち、第１クリア領域６１１と同じドット配置パターンを有する平網画像）を２次元フーリエ変換して得られるパワースペクトル画像、および、第２クリア領域６１２を示す平網画像を２次元フーリエ変換して得られるパワースペクトル画像が生成される。なお、パワースペクトル画像は平網画像と同じサイズ（画素数）となる。続いて、これらのパワースペクトル画像の間において互いに対応する画素の値（パワー）の差の絶対値を示す差分画像が求められる。そして、当該差分画像の各画素の値に対して数３に示すＶＴＦの値（ただし、数３においてｆは当該画素の位置の空間周波数である。）を乗じることにより得られる値を、当該画素の値とする視差評価画像が得られる。
【００４９】
【数３】
2013173266.tif 000005
【００５０】
ここで、数３に示すＶＴＦは、視覚伝達関数（Visual Transfer Function）と呼ばれる人間の視覚特性を表すものであり、数３のＶＴＦは図７の変化を示す。視差評価画像が取得されると、視差評価画像における画素の値の平均値が視差評価値として求められる。視差評価値が高いほど、基材９上の第１クリア領域９６１と第２クリア領域９６２とが異なる種類の領域であると視認されやすくなり、本実施の形態では、上記視差評価値が２０以上となるドット配置パターンの組合せが採用されることが好ましい。なお、数３のＶＴＦとして他の視覚伝達関数が用いられてもよく、また、上記差分画像の各画素の値に対してＶＴＦを乗じることなく、差分画像の画素の値の平均値が視差評価値として求められてもよい。
【００５１】
また、視差の評価は、他の手法にて行うことも可能であり、例えば、第１クリア領域６１１を示す平網画像のＲＭＳ粒状度と、第２クリア領域６１２を示す平網画像のＲＭＳ粒状度との差が所定値以上である場合に、基材９上の第１クリア領域９６１と第２クリア領域９６２とで好ましい視差が生じると判定されてもよい。さらに、両平網画像からそれぞれ生成されるパワースペクトル画像において、所定の特徴量（例えば、後述のＲＡＰＳＤのピーク周波数やピーク値）の差が所定値以上である場合に、基材９上の第１クリア領域９６１と第２クリア領域９６２とで好ましい視差が生じると判定されてもよい。視差の評価として、他の公知の手法が用いられてもよい。
【００５２】
図８は、平網画像における異方性の評価を説明するための図であり、平網画像を２次元フーリエ変換して得られるパワースペクトル画像８１を示す図である。図８では、パワースペクトル画像８１の中心Ｃ１を中心とする半径ｄρの位置から、内側および外側のそれぞれに所定幅（図８中のΔρの幅であり、その幅は１／２画素分であることが最も望ましい）だけ広がった環状領域Ｒ（ｄρ）（すなわち、内径が（ｄρ−Δρ）であり、外径が（ｄρ＋Δρ）である環状領域）を平行斜線を付して示している。
【００５３】
異方性の評価の一例では、非特許文献１（Daniel L.Lau and Gonzalo R.Arce，Modern Digital Halftoning，CRC Press，２００８年４月２４日）のｐ．５２に記載される手法と同様に、中心がパワースペクトル画像８１の中心Ｃ１と一致する環状領域Ｒ（ｄρ）内に含まれる画素の値の分散に基づく評価値が利用される。具体的には、パワースペクトル画像８１において、半径ｄρの所定幅の環状領域Ｒ（ｄρ）内の画素数をＮ（Ｒ（ｄρ））、当該環状領域内に含まれる各画素の値（パワー）をパワースペクトル画像８１の全画素数で割ったスペクトル推定値をＰ（ｄ）、当該環状領域内に含まれる画素のスペクトル推定値の平均値（Radially Averaged Power Spectrum Density  (ＲＡＰＳＤ)とも呼ばれる。）をＰｒ（ｄρ）として、パワースペクトル画像８１に対する異方性を示す評価値Ａ（ｄρ）が数４により求められる。
【００５４】
【数４】
2013173266.tif 000006
【００５５】
本実施の形態では、パワースペクトル画像における様々な半径ｄρの環状領域において数４により評価値を求めた場合に、いずれの半径ｄρについても評価値が１０デシベル以下（より好ましくは５デシベル以下）となる平網画像がおよそ等方性を有する、すなわち、異方性を有しない好ましい画像として扱われる。したがって、このような平網画像に対応するドット配置パターンが、クリア画像６１の第１クリア領域６１１および第２クリア領域６１２のそれぞれに対して採用されることが好ましい。換言すると、第１クリア領域６１１を示す平網画像を２次元フーリエ変換して得られるパワースペクトル画像に対する上記評価値の最大値、および、第２クリア領域６１２を示す平網画像を２次元フーリエ変換して得られるパワースペクトル画像に対する上記評価値の最大値が、１０デシベル以下であることが好ましい（より好ましくは５デシベル以下）。
【００５６】
異方性の評価は、他の手法にて行うことも可能である。具体的には、図９．Ａに示すように、平網画像８２において列方向に対して角度θ（ただし、０°≦θ＜１８０°）だけ傾斜した注目方向に沿って画素の値の平均値（以下、「平均画素値」という。）を算出し、注目方向に垂直なα方向に関して平均画素値の変化を示すグラフを作成する。実際には、θを一定の角度間隔にて複数通りに変更し、平網画像８２に対して複数の方向に関する平均画素値の変化が取得される。列方向の異方性を有する平網画像８２では、図９．Ｂに示すようにθを０°として注目方向を設定すると、注目方向に垂直なα方向に関する平均画素値の変化は周期性を示す。なお、図９．Ａおよび図９．Ｂでは、平網画像８２中に縦方向に平行な平行斜線を付すことにより、当該平網画像８２における列方向の異方性を示している。
【００５７】
本手法による異方性の評価において、いずれの方向における平均画素値の変化も周期性を示さない場合には、当該平網画像が異方性を有しないと判定される。このような平網画像が生成可能な閾値マトリクスは、特定閾値マトリクスとして利用することが可能である。周期性の有無は様々な周知の手法にて判定されてよい。また、いずれの方向における平均画素値の変化においても平均画素値の分散が所定値以下である場合に、平網画像が異方性を有しないと判定されてもよい。なお、２値の平網画像では、平均画素値は、注目方向に垂直なα方向の各位置においてドットが存在する割合と捉えることもできる。異方性の評価として、他の公知の手法が用いられてもよい。
【００５８】
ところで、仮に、特許文献１（特開２００５−１７６３７７号公報）の手法を利用して有色画像層上に透明インクにて画像を記録する場合、当該画像は異方性を有するため、特定の方向（例えば、異方性の方向）において透明インクの画像層の耐擦過性が低下してしまう。また、透明インクの画像層においてドット記録率を部分的に相違させることにより光沢差を生じさせて画像を表現することも考えられるが、この場合、ドット記録率が高い領域においてインク量の増大によるコクリング（紙のたわみ）が発生したり、ドット記録率が低い領域において耐擦過性が低下してしまう。
【００５９】
これに対し、画像記録装置１では、異方性を有しない一の種類のドット配置パターンにて表現される一定のドット記録率の第１クリア領域９６１と、異方性を有しない他の種類のドット配置パターンにて表現される一定のドット記録率の第２クリア領域９６２とを有するクリア画像層９６が、画像記録部である吐出部３により有色画像層９５上に記録される。その結果、耐擦過性に異方性が生じることを防止することができ（すなわち、いずれの方向においても、ある程度の耐擦過性を確保することができ）、耐擦過性に優れたクリア画像層を提供することができる。また、第１クリア領域９６１のドット記録率と、第２クリア領域９６２のドット記録率とが等しく、クリア画像層９６の全体において一定のドット記録率が保たれるため、均一な耐擦過性を確保するとともに、部分的なインク量の増大によるコクリングの発生も防止することができる。
【００６０】
ある程度の耐擦過性の確保およびコクリングの防止を実現するには、第１クリア領域９６１および第２クリア領域９６２のドット記録率は、２０％以上８０％以下であることが好ましい（より好ましくは、３５％以上６５％以下）。また、第１クリア領域９６１のドット記録率と、第２クリア領域９６２のドット記録率とがおよそ等しいのであるならば、両者は厳密に一致する必要はない。通常、両者の差が１０％以内であれば、第１クリア領域９６１および第２クリア領域９６２の双方において耐擦過性の確保およびコクリングの防止が容易に実現され、５％以内であれば、双方の領域における耐擦過性の確保およびコクリングの防止がより容易に実現される。なお、異なる濃度の２つの画像から同じ特定閾値マトリクスを用いて生成した２つのドット配置パターンを、仮に、第１クリア領域および第２クリア領域にそれぞれ適用した場合に、双方の領域の区別が不能であるような当該２つのドット配置パターンにおけるドット記録率は、およそ等しいものとして捉えることも可能である。
【００６１】
第１クリア領域９６１および第２クリア領域９６２では、図５に示すドット配置パターン以外に、様々なドット配置パターンを用いることが可能である。図１０はクリア網点画像データが示すクリア画像の他の例を示す図である。図１０のクリア画像６１では、図５のクリア画像６１と同様に、第１クリア領域６１１および第２クリア領域６１２の双方でドットが不規則に配置され（すなわち、ディザ法にて表現され）、双方のドット記録率はほぼ等しい（後述の図１５．Ａ、図１５．Ｂ、図１６および図１８において同様）。しかしながら、図５のクリア画像６１では双方の領域が異なる種類の網点構造にて表現されるのに対し、図１０のクリア画像６１では、第２クリア領域６１２における各要素を行方向および列方向に２倍に拡大した網点構造（すなわち、第１クリア領域６１１の網点構造と同種であり、要素の大きさのみが相違する網点構造）にて第１クリア領域６１１が表現される。したがって、図１０のクリア画像６１では、第１クリア領域６１１のドット配置パターンが示す空間周波数の特性と、第２クリア領域６１２のドット配置パターンが示す空間周波数の特性とが大幅に相違し、図５のクリア画像６１よりも視差が大きくなる。このように、第１クリア領域６１１および第２クリア領域６１２が同種の網点構造にて表現される場合でも、空間周波数の特性が相違する限り、第１クリア領域６１１のドット配置パターンと第２クリア領域６１２のドット配置パターンとは異なる種類であるとみなされる。
【００６２】
図１１．Ａないし図１１．Ｇはドット配置パターンに対応する平網画像を示す図である（後述の図１２および図１４において同様）。図１１．Ａないし図１１．Ｇに示すように、ドットが不規則に配置される不規則パターンであるドット配置パターンは様々なものが利用可能である。異方性を有しないこれらのドット配置パターンでは、ドットのかたまり具合が互いに相違するため、空間周波数の特性が相違する。
【００６３】
また、図１２に示す同心円状の図形を示すドット配置パターンのように、規則性を有するドット配置パターンを用いることも可能である。図形パターンである図１２のドット配置パターンも、網点化の対象となる対象画像データ（すなわち、埋込画像データまたはマスク画像データ）と特定閾値マトリクスとを比較することにより生成される。したがって、図１３．Ａないし図１３．Ｃに示すように、対象画像データの階調値（選択値）に応じてドット記録率が変化して網点領域が成長する（図１１．Ａないし図１１．Ｇのドット配置パターンにおいて同様）。図１３．Ａないし図１３．Ｃでは、ドット記録率がそれぞれ２０％、５０％、８０％である平網画像を示している。さらに、図１４に示すように、同様の図形が多数配置されるドット配置パターンが利用されてもよい。図１２および図１４のドット配置パターンは共に同心円状の図形にて構成されるが、図形の配置や大きさが異なるため、図１２のドット配置パターンと図１４のドット配置パターンとの間で大きな視差が生じる。図形パターンは、異方性を有しないものである限り、直線、曲線、真円、楕円、多角形、その他の幾何学的模様にて表現される様々なものが利用可能である。
【００６４】
図１５．Ａおよび図１５．Ｂは、クリア網点画像データが示すクリア画像のさらに他の例を示す図である。図１５．Ａのクリア画像６１では、不規則パターンであるドット配置パターンが第１クリア領域６１１に用いられ、図形パターンであるドット配置パターンが第２クリア領域６１２に用いられる。また、図１５．Ｂのクリア画像６１では、図形パターンであるドット配置パターンが、第１クリア領域６１１および第２クリア領域６１２の双方に用いられ、第１クリア領域６１１は星形および三角形の図形パターンにて表現され、第２クリア領域６１２は同心円の図形パターンにて表現される。以上のように、第１クリア領域６１１と第２クリア領域６１２との間においてある程度の視差が生じるのであるならば、対象画像データと特定閾値マトリクスとを比較することにより生成される、異方性を有しない様々なドット配置パターンが、各クリア領域に対して利用可能である。
【００６５】
また、第１クリア領域６１１および第２クリア領域６１２の一方または双方において、特定閾値マトリクスを用いない網点化手法が利用されてもよい。図１６に示すクリア画像６１では、第１クリア領域６１１に対して誤差拡散法にて生成されるドット配置パターンが適用され、第２クリア領域６１２に対して特定閾値マトリクスを用いて生成されるドット配置パターンが適用される。図１６のクリア画像６１においても、第１クリア領域６１１と第２クリア領域６１２との間においてある程度の視差が生じる。
【００６６】
ところで、誤差拡散法にて生成されるドット配置パターンでは、ドット記録率によっては異方性が生じる場合があるが、本実施の形態では、異方性が生じないドット記録率にて生成されるドット配置パターンが利用されるため、耐擦過性に異方性が生じることが防止される。なお、特定閾値マトリクスを用いる場合には異方性を有するドット配置パターンを確実に生成することが可能である。
【００６７】
さらに、図１７に示すようにクリア画像６１において、互いに異なる種類のドット配置パターンにて表現される３以上の（図１７では３個の）クリア領域６１１〜６１３が設けられてもよい。図１８は、３つのクリア領域６１１〜６１３が設けられたクリア画像６１の一例であり、第１クリア領域６１１では誤差拡散法にて生成されるドット配置パターンが適用され、第２クリア領域６１２では一の特定閾値マトリクスを用いて生成されるドット配置パターンが適用され、第３クリア領域６１３では他の特定閾値マトリクスを用いて生成されるドット配置パターンが適用される。
【００６８】
以上、本発明の実施の形態について説明してきたが、本発明は上記実施の形態に限定されるものではなく、様々な変形が可能である。
【００６９】
第２クリア領域６１２は、必ずしも第１クリア領域６１１のエッジの全体に接する（すなわち、第１クリア領域６１１の全体が第２クリア領域６１２内に含まれる）必要はなく、例えば、図１９に示すように、第２クリア領域６１２が第１クリア領域６１１のエッジの一部のみに接していてもよい。以上のように、第２クリア領域６１２は、第１クリア領域６１１のエッジの少なくとも一部に接していればよい（基材９上の第１クリア領域９６１および第２クリア領域９６２において同様）。
【００７０】
コクリングが発生しにくい基材９が用いられる場合等には、ある程度の耐擦過性が確保される範囲内にて、第１クリア領域９６１のドット記録率と、第２クリア領域９６２のドット記録率とが相違していてもよい。
【００７１】
上記実施の形態では、保護層形成用の透明インクが有色画像層上のみに付与されるため、透明インクの消費量の削減が可能であるが、印刷物９０の種類等によっては、透明インクが基材９上の印刷可能な領域の全体に付与されてもよい。
【００７２】
クリア画像層は、透明インクの多階調のドット（すなわち、複数種類のサイズのドット）により記録されてよい。有色画像層についても同様である。有色画像は、複数色の画像である必要はなく、１つの有色インクによる単色の画像であってもよい。
【００７３】
画像記録装置１では、複数の吐出口がＹ方向に配列された吐出部３のＸ方向への往復移動と基材９の（＋Ｙ）方向への移動とが繰り返し行われることにより、基材９に対する記録が行われてもよい。
【００７４】
上記実施の形態では、有色画像層が記録された基材９が画像記録装置１により実質的に準備されるが、別の装置（例えば、刷版を用いて画像を記録する画像記録装置や、電子写真方式の画像記録装置）により有色画像層のみが記録された基材９が準備されてもよい。この場合、画像記録装置１では、予め有色画像層が記録された基材９がステージ２１にて保持され、基材９に向けて透明インクのみが吐出されることにより、有色画像層上にクリア画像層が記録される。また、刷版を用いて画像を記録する画像記録装置や、電子写真方式の画像記録装置によりクリア画像が記録されてもよい。刷版を用いる画像記録装置では、有色画像層が記録された基材が保持部にて保持され、刷版を有する画像記録部により有色画像層を覆うクリア画像層が透明インクにより記録される。電子写真方式の画像記録装置では、透明トナーが画像記録材料として利用され、画像記録部を構成する感光体ドラム上に透明トナーの画像が形成され、保持部（搬送ローラ等）により保持される基材にトナー画像が転写される。
【００７５】
基材９は、フィルム等の撥液性を有するシート状の部材や、プラスチックにて形成される板状の部材等であってもよい。また、連続紙等である、いわゆるウェブに対して画像記録が行われてもよい。
【００７６】
上記実施の形態および各変形例における構成は、相互に矛盾しない限り適宜組み合わされてよい。
【符号の説明】
【００７７】
１    画像記録装置
３    吐出部
９    基材
２１    ステージ
６１    クリア画像
８１    パワースペクトル画像
８２    平網画像
９０    印刷物
９１    主面
９５    有色画像層
９６    クリア画像層
６１１〜６１３    （クリア画像の）クリア領域
７１０    閾値マトリクス
９６１，９６２    （クリア画像層の）クリア領域
Ｃ１    中心
Ｓ１３〜Ｓ１６    ステップ
【図１】
2013173266.tif 000009
【図２】
2013173266.tif 000010
【図３】
2013173266.tif 000011
【図４】
2013173266.tif 000012
【図５】
2013173266.tif 000013
【図６】
2013173266.tif 000014
【図７】
2013173266.tif 000015
【図８】
2013173266.tif 000016
【図９．Ａ】
2013173266.tif 000017
【図９．Ｂ】
2013173266.tif 000018
【図１０】
2013173266.tif 000019
【図１１．Ａ】
2013173266.tif 000020
【図１１．Ｂ】
2013173266.tif 000021
【図１１．Ｃ】
2013173266.tif 000022
【図１１．Ｄ】
2013173266.tif 000023
【図１１．Ｅ】
2013173266.tif 000024
【図１１．Ｆ】
2013173266.tif 000025
【図１１．Ｇ】
2013173266.tif 000026
【図１２】
2013173266.tif 000027
【図１３．Ａ】
2013173266.tif 000028
【図１３．Ｂ】
2013173266.tif 000029
【図１３．Ｃ】
2013173266.tif 000030
【図１４】
2013173266.tif 000031
【図１５．Ａ】
2013173266.tif 000032
【図１５．Ｂ】
2013173266.tif 000033
【図１６】
2013173266.tif 000034
【図１７】
2013173266.tif 000035
【図１８】
2013173266.tif 000036
【図１９】
2013173266.tif 000037